(57)【要約】  【課題】  タンク給油時に外した給油キャップで床面を汚さないようにし、かつ給油キャップへのゴミ、埃等の付着を防止することを目的とする。  【解決手段】  タンク本体２１と、タンク本体２１の適所に設けた給油口２２と、給油口２２の外周に形成したネジ部２２ａと、このネジ部２２ａへの螺合によって前記給油口２２を閉塞する給油キャップ２３を備え、前記給油キャップ２３のネジ部の外周にその外周部が給油キャップのネジ部に略平行で外径を大とする握り部２４を配設するとともに、前記握り部２４上に給油キャップの重心を位置させ、前記握り部２４の外周部を略水平に載置したとき、倒れない構成としてある。【選択図】  図１
2005076941.tif 000002
【特許請求の範囲】
【請求項１】
タンク本体と、タンク本体の適所に設けた給油口と、給油口の外周に形成したネジ部と、このネジ部への螺合によって前記給油口を閉塞する給油キャップを備え、前記給油キャップのネジ部の外周にその外周部が給油キャップのネジ部に略平行で外径を大とする握り部を配設するとともに、前記握り部上に給油キャップの重心を位置させ、前記握り部の外周部を略水平に載置したとき、倒れないようにしたカートリッジタンク。
【請求項２】
握り部の外周部を略水平になるように載置したとき、給油キャップの給油口装着側が僅かに上向くように、握り部の外周部を給油キャップの中心線に対して傾斜させた請求項１記載のカートリッジタンク。
【請求項３】
握り部の外周部を略水平になるように載置したとき、転がらないように握り部の外周部に凹凸部を形成した請求項１記載のカートリッジタンク。
【請求項４】
握り部の外周部の一部に他の部分より広い面を有する載置面を設けた請求項１記載のカートリッジタンク。
【請求項５】
握り部の外周部の一部に他の部分より広い面を有する載置面を設けるとともに、載置面を下面にして載置したときに安定するように、載置面あるいはその近傍に重錘体を配置した請求項１記載のカートリッジタンク。
【請求項６】
握り部の外周部の一部に他の部分より広い面を有する載置面を設けるとともに、載置面を示す文字あるいは記号を付した請求項１記載のカートリッジタンク。
【発明の詳細な説明】
【技術分野】
【０００１】
本発明は、タンク本体に着脱自在に配設し弁機構を有する給油キャップに関するものである。
【背景技術】
【０００２】
従来の構成を燃焼装置のカートリッジタンクを用いて、図６、図７、図８により説明する。図に示すように、１はカートリッジタンク（以下、タンクという）、２はこのタンク１内に収容された灯油などの液体燃料、３はタンク１の一端に接合固着された給油口である。給油口３にはネジ部３ａが形成されており、このネジ部３ａに螺合するネジ部４ａを有するキャップ部４ｃが装着されている。給油口３とキャップ部４ｃとの間にはゴムパッキン６が介在されてシールされている。
【０００３】
キャップ４は、先端にＯリング９がはめ込まれた弁体８、その弁体８を閉方向に押し付けるコイルバネ１０、及びこれら弁体８とコイルバネ１０を保持する弁押え筒７とから構成された弁装置を備えた金属部材よりなるキャップ部４ｃと、このキャップ部４ｃの端部に形成したフランジ４ｄを挟むようにして、例えばインサート成形によって一体に形成された合成樹脂からなる握り部５とから構成されている。
【０００４】
握り部５のキャップ部４ｃ先端側の内側には、全周にリブ５ａが設けられており、また、握り部５のタンク１側には握り部５の外径より大きいフランジ５ｂが設けられている。１１は中央に突き上げピン１１ａを有する受皿、１２はこの受皿１１が設置された油受皿で、暖房機本体（図示せず）内に設けられている。タンク１を暖房機本体内に装着したとき、その下には油受皿１２と、突き上げピン１１ａが固定された受皿１１が、キャップ部４ｃおよび握り部５と接触しない位置関係で置かれている。
【０００５】
次に、作用について説明する。図６のように、液体燃料２が入ったタンク１を、給油口３を下向きにして、図７に示すように油受皿１２上に設置すると、油受皿１２上に配置された受皿１１の突き上げピン１１ａによりキャップ４のキャップ部４ｃの弁体８がＯリング９とともに中へ押し込まれ、流出口４ｂが開かれて、タンク１の気密状態が破られ、開放となる。これにより、タンク１内の液体燃料２と外気が置換されて、タンク１内の液体燃料２は油受皿１２内に流出し、油受皿１２内の液面２ａは上昇する。
【０００６】
液面２ａの上昇により、図７に示すように、キャップ４のキャップ部４ｃの先端部を液面２ａが覆う状態、すなわち、タンク１内に外気が入らなくなると、液体燃料の流出は停止し、その状態に保たれる。油受皿１２に設けられた燃料くみ上げポンプ（図示せず）等により、油受皿１２内の液体燃料が燃焼器（図示せず）へ送られ、油受皿１２内の液面２ａが下がると、再度、外気と入れ替えにタンク１内の液体燃料２が油受皿１２内に流出し、液面１２ａが上昇するという過程を繰り返す。
【０００７】
キャップ４のキャップ部４ｃ先端部は、常時液体燃料２に触れており、給油作業のため、使用者がタンク１を暖房機本体内から引き抜くと、コイルバネ１０により弁体８が下降して流出口４ｂを閉塞するが、キャップ４のキャップ部４ｃ先端部は液体燃料２が付着したままの状態である。給油作業のため、図８のように、給油口３が上になるようにしてタンク１を床面等に置くと、キャップ４のキャップ部４ｃ先端部に付着していた液体燃料２ｂは、キャップ部４ｃの外面に沿って流れ落ちるが、キャップ部４ｃの端部に形成したフランジ４ｄがインサート成形により合成樹脂製の握り部に一体に形成されているため、液体燃料２ｂはそこで止まる。
【０００８】
これにより、キャップ部４ｃ外周面を伝って流れ落ちた液体燃料２ｂが握り部５の外周面に達することはない。従って、使用者はこの握り部５をもって開閉操作を行なっても、手が液体燃料で汚れる心配はまったくない。また、握り部５とキャップ部４ｃとは一体化されているので、手が滑ったり、空回りすることもなく、かつ、キャップ部４ｃが抜けて床面に落としてしまうこともなく、確実に開閉作業が行なえる。さらに、図８のように、握り部５の内側にキャップ部４ｃの周囲を囲むようにリブ５ａを設けているので、キャップ部４ｃの外周を伝って流れ落ちてきた液体燃料２ｂは、このリブ５ａとキャップ部４ｃの間に溜まり、溜まった液体燃料２ｂは、再度タンク１を油受皿１２上に設置すると、受皿１１を伝って油受皿１２内に戻るため、汚れの原因とはならない。
【０００９】
また、握り部５の端部に、この握り部５よりも外径の大きいフランジ部５ｂを形成しているので、使用者が握り部５を持って、開閉動作をする際に、指先端がフランジ部５ｂに当たり、垂直方向に指が滑るのを防止し、安定して作業を行うことができる（例えば、特許文献１参照）。
【特許文献１】特開２０００−４６３１７号公報
【発明の開示】
【発明が解決しようとする課題】
【００１０】
しかしながら、従来の構成においては、給油時、キャップ４を外して床面等に載置する場合、先端の弁装置を備えた金属部材側か、給油口３装着側を下面にして載置するようになる。そして、前者の先端の弁装置を備えた金属部材側を下面して載置すると、金属部材表面に付着している液体燃料２で床面を汚したり、載置した床面のゴミ、埃等が金属部材表面に付着して、先端の弁装置のシール性を劣化させ、タンクを下げて持ち運ぶときにタンク１内の燃料がポタポタと漏れてしまうなどの心配があった。
【００１１】
また、後者の給油口３装着側を下面にして載置すると、タンク１内の燃料で濡れている状態であるので、前者より液体燃料２が多量に付着していてその燃料がたれて床面を汚したり、載置した床面のゴミ、埃等がキャップ４に付着して、タンク１内に混入したり、ネジ部４ａに付着してタンク１とキャップ４の螺合を阻害する心配があった。
【００１２】
そこで、インサート成形によって一体に形成された合成樹脂からなる握り部５の外周部を略水平になるように載置しようとすると、キャップ４の先端に弁装置を備えた金属部材を有するため、キャップ４の先端側が重く先端側に倒れ、弁装置を破損させたり、付着している燃料が飛び散ってしまう等の問題があった。
【００１３】
本発明は上記問題点に鑑みてなしたもので、手を汚さずにキャップ４の開閉を行なうことができるようにし、且つ、タンク１への給油時に外したキャップ４を床面に載置した場合でも、床面を油で汚さないようにし、さらに、キャップ４内外に床面のゴミ、埃等が付着するのを防止して、キャップ４を長期にわたって安全に使用することを目的とするものである。
【課題を解決するための手段】
【００１４】
本発明は上記課題を解決するため、タンク本体と、タンク本体の適所に設けた給油口と、給油口の外周に形成したネジ部と、このネジ部への螺合によって前記給油口を閉塞する給油キャップを備え、前記給油キャップのネジ部の外周に持ちやすくなるようにその外周部が給油キャップのネジ部に略平行で外径を大とする握り部を配設するとともに、前記握り部上に給油キャップの重心を位置させ、握り部の外周部を略水平に載置したとき、倒れないように構成したものである。
【００１５】
上記発明によれば、握り部上に給油キャップの重心を位置させてあるので、給油時、給油キャップを外して床面等に載置する場合、握り部の外周部を略水平にした載置すれば、握り部内でバランスが確保されることになり、どちらにも倒れることがなく載置でき、燃料で濡れている給油キャップから燃料がたれて床面を汚すこともなくなり、また、濡れている面の給油口や、ネジ部に載置した床面のゴミ、埃等が付着することを防止でき、給油キャップを長期にわたって安全に使用することができる。
【発明の効果】
【００１６】
以上のように本発明のカートリッジタンクによれば、握り部上に給油キャップの重心を位置させてあるので、給油時、給油キャップを外して床面等に載置する場合、握り部の外周部を略水平にした載置すれば、握り部内でバランスが確保されることになり、どちらにも倒れることがなく載置でき、燃料で濡れている給油キャップから燃料がたれて床面を汚すこともなくなり、また、濡れている面の給油口や、ネジ部に載置した床面のゴミ、埃等が付着することを防止でき、給油キャップを長期にわたって安全に使用することができる。
【発明を実施するための最良の形態】
【００１７】
請求項１記載のカートリッジタンクは、タンク本体と、タンク本体の適所に設けた給油口と、給油口の外周に形成したネジ部と、このネジ部への螺合によって前記給油口を閉塞する給油キャップを備え、前記給油キャップのネジ部の外周にその外周部が給油キャップのネジ部に略平行で外径を大とする握り部を配設するとともに、前記握り部上に給油キャップの重心を位置させ、前記握り部の外周部を略水平に載置したとき、倒れないようにしたことを特徴とするものである。
【００１８】
そして、握り部上に給油キャップの重心を位置させてあるので、給油時、給油キャップを外して載置する場合、握り部の外周部を略水平にして倒れないように載置することができ、燃料で濡れている給油キャップから燃料がたれて床面を汚すこともなくなり、また、濡れている面の給油口や、ネジ部に載置した床面のゴミ、埃等が付着することを防止でき、給油キャップを長期に安全に使用することができるようになる。
【００１９】
また、請求項２記載のカートリッジタンクは、握り部の外周部を略水平になるように載置したとき、給油キャップの給油口装着側が僅かに上向くように、握り部の外周部を給油キャップの中心線に対して傾斜させた構成としている。
【００２０】
そして、給油キャップの給油口装着側が僅かに上向くように、握り部の外周部を給油キャップの中心線に対して傾斜させてあるので、握り部の外周部を略水平になるように載置したとき、給油キャップ内面に付着しているタンク内の燃料がたれても、給油キャップ内側に流れるようになるので、給油キャップを載置した床面を汚すことはなくなり、使い勝手がよくなる。
【００２１】
また、請求項３記載ののカートリッジタンクは、握り部の外周部を略水平になるように載置したとき、転がらないように握り部の外周部に凹凸部を形成した構成としている。
【００２２】
そして、転がらないように握り部の外周部に凹凸部を形成してあるので、握り部の外周部を略水平になるように載置したとき、例えば、滑り易い面や、僅かでも傾斜している面に給油キャップを載置しても、転がって倒れてしまうなどの心配がなくなり、給油キャップを載置したときの安定性が増すようになる。
【００２３】
また、請求項４記載のカートリッジタンクは、握り部の外周部の一部に他の部分より広い面を有する載置面を設けた構成としている。
【００２４】
そして、握り部の外周部の一部に他の部分より広い面を有する載置面を配設してあるので、握り部の外周部を略水平になるように載置するとき、給油キャップと載置面との接地面、或いは接地投影面に対する面積が拡大するので、給油キャップを載置したときの安定性が増すようになるとともに、載置面が他の部分と異なり大きいので、使用者に載置面であることのアピールができるようになり、使い勝手がさらによくなる。
【００２５】
また、請求項５記載のカートリッジタンクは、握り部の外周部の一部に他の部分より広い面を有する載置面を設けるとともに、載置面を下面にして載置したときに安定するように、載置面あるいはその近傍に重錘体を配置した構成としている。
【００２６】
そして、上記請求項４の効果が得られるとともに、載置面あるいはその近傍に重錘体を配設してあるので、より倒れにくく、転がりにくい構造となり、より安全性が増し、設計的にも重量バランスが取りやすくなって、給油キャップの構成等の自由度が増すようになる。
【００２７】
また、請求項６記載のカートリッジタンクは、握り部の外周部の一部に他の部分より広い面を有する載置面を設けるとともに、載置面を示す文字あるいは記号を付した構成としている。
【００２８】
そして、載置面を示す文字あるいは記号を付してあるので、握り部の外周部を略水平になるように載置するとき、使用者に載置面であることのアピールができるようになり、使い勝手がよくなる。
【実施例】
【００２９】
以下本発明の一実施例について、石油燃焼装置のカートリッジタンクを用いて説明する。
【００３０】
（実施例１）
図１は本発明の実施例１のカートリッジタンクの機器への設置状態を示す要部断面図、図２は給油キャップを載置した状態の要部断面図、図３は給油キャップの上面図である。
【００３１】
図において、２１は燃料を蓄えておくタンク本体、２２はタンク本体２１へ燃料の補給と流出を行う給油口、２２ａはこの給油口２２の外周部にもうけたネジ部、２３は給油口２２に着脱自在に設けた給油キャップで、給油キャップ２３の内面に設けたネジ部２３ａと給油口２２のネジ部２２ａとが噛み合うようになっている。
【００３２】
また、給油キャップ２３の入口側端部には外周方向に伸ばしたフランジ部２３ｂを設け、これに給油キャップ２３のネジ部２３ａに略平行で外径を大とする樹脂製の握り部２４を配設してあり、このフランジ部２３ｂが重錘体の役目を果たし重量バランスをとって、握り部２４の外周部を略水平になるように載置したとき、倒れないように握り部２４上に給油キャップ２３の重心を位置させる構成となっている。
【００３３】
そして、握り部２４の外周部を略水平になるように載置したとき、転がらないように握り部２４の外周部に凹凸部２４ａを形成するとともに、給油キャップ２３の給油口装着側が僅かに上向くように、載置したときに握り部２４の外周部が給油キャップ２３の中心線に対して傾斜させてある。
【００３４】
２５は給油キャップ２３内に一体化して設け複数個の貫通孔２５ａを有する弁筒で、内部に弁機構を設けている。弁機構は給油キャップ２３と弁筒２５間に内装してあり、弁体２６と弁座２７およびバネ２８で構成し、給油キャップ２３の吐出口２９の開閉を行う。
【００３５】
３０は石油燃焼器のバーナへ燃料を供給するために一時蓄えておくための油受け皿、３１は油受け皿３０の上部開口に取り付けた受け口であり、該受け口３１には弁押し上げピン３２が突起して形成してある。
【００３６】
上記構成において、その動作を説明すると、まず、タンク本体２１を給油キャップ２３を下向きにして油受け皿３０の受け口３１に装着すると、弁押し上げピン３２が弁体２６をバネ２８に抗して押し上げ、弁座２７による給油キャップ２３の吐出口２９の閉塞状態が解除される。これにより、タンク本体２１の燃料は受け口３１を介して油受け皿３０内に供給され、給油キャップ２３の吐出口２９の油面高さまで蓄えられる。そして、バーナで消費され油受け皿３０内の油面が低下すると、吐出口２９よりタンク本体２１内に空気が入り、この空気の置換作用でタンク本体２１の燃料は油受け皿３０内に供給される。この繰り返しにより油受け皿３０内の油面は一定油面を保持する。そして、タンク本体２１内の燃料が給油キャップ２３の端部つまり吐出口２９まで減少してくると、弁筒２５の外周部に設けた複数の貫通孔２５ａより燃料の供給は継続され、タンク本体２１内の燃料はほとんど使いきることになる。
【００３７】
次に、タンク本体２１の燃料が空になると、タンク本体２１を受け口３１から取り外す。このとき、弁機構は弁押し上げピン３２で弁体２６を押し上げていた動作が解除されるため、弁体２６はバネ２８により元の状態に戻り、弁座２７を介して吐出口２９を閉塞状態に保つ。そして、タンク本体２１を給油場所まで運び、給油キャップ２３を取り外してサイフォンポンプなどで給油を行う。
【００３８】
そして、タンク本体２１への給油が完了すると、給油キャップ２３を給油口２２に取り付ける作業を行い、再びタンク本体２１を受け口３１へ装着しこの一連の動作をくり返すこととなる。
【００３９】
ここで、握り部２４上に給油キャップ２３の重心を位置させてあるので、給油時、給油キャップ２３を外して載置する場合、握り部２４の外周部を略水平にして倒れないように載置することができるようになり、燃料で濡れている給油キャップ２３から燃料がたれて床面を汚すこともなくなり、また、濡れている面の給油口や、ネジ部に載置した床面のゴミ、埃等が付着することを防止でき、給油キャップ２３を長期に安全に使用することができるようになる。
【００４０】
また、給油キャップ２３の給油口装着側が僅かに上向くように、握り部２４の外周部を給油キャップ２３の中心線に対して傾斜させてあるので、握り部２４の外周部を略水平になるように載置したとき、給油キャップ２３内面に付着しているタンク内の燃料がたれても、給油キャップ２３内側に流れるようになるので、給油キャップ２３を載置した床面を汚すことはなくなり、使い勝手が増すようになる。
【００４１】
さらに、転がらないように握り部２４の外周部に凹凸部を形成してあるので、握り部２４の外周部を略水平になるように載置したとき、例えば、滑り易い面や、僅かでも傾斜している面に給油キャップ２３を載置しても、転がって倒れてしまうなどの心配がなくなり、給油キャップ２３を載置したときの安定性が増すようになる。
【００４２】
（実施例２）
図４は本発明の実施例２の給油キャップを載置した状態の要部断面図、図５は給油キャップの上面図である。実施例１で述べた部分と同じ部分は同一番号を付記して説明を省略し、異なる部分のみを説明する。
【００４３】
図において、給油キャップ４１に配設した握り部４２の外周部の一部に他の部分より広い面を有する載置面４２ａを配設するとともに握り部上面に載置面を示す表示「載置面」４２ｂと記載し、且つ、載置面４２ａを下面にして載置したときに安定するように、載置面に重錘体用の金属プレート４３を配設した構成としている。
【００４４】
上記構成において、握り部４２の外周部の一部に他の部分より広い面を有する載置面４３ａを配設してあるので、握り部４２の外周部を略水平になるように載置するとき、給油キャップ２３と載置面４２ａとの接地面、或いは接地投影面に対する面積が拡大するので、給油キャップ２３を載置したときの安定性が増すようになる。
【００４５】
また、載置面４２ａに重錘体用の金属プレート４３を配設してあるので、より倒れやすさや転がりやすさに対して、より安全性が増し、さらに設計的にも、給油キャップ４１の構成等の重量バランスが取りやすくなり、自由度が増すようになる。
【００４６】
さらに、握り部４２上面に載置面を示す表示「載置面」４２ｂと記載してあるので、使用者に載置面であることのアピールができるようになり、使い勝手が増すようになる。
【００４７】
なお上記実施例２では、給油キャップ２３の握り部４２に他の部分より広い面を有する載置面４２ａを１ヶ所設けたが、これは、数カ所としてもよく、また、載置面に重錘体用の金属プレート４３を配設したが、重錘体を握り部４２の内側に内蔵させても良く、載置面を示す表示を金属プレート４３に刻印してもよくまた握り部４２の一部に矢印等の記号で表しても良く、本発明の目的・効果を達成するものであれば実施例の構成に限られることなくどのように構成してもよいものである。
【図面の簡単な説明】
【００４８】
【図１】本発明の実施例１のカートリッジタンクの設置状態を示す要部断面図
【図２】同カートリッジタンクの給油キャップを載置した状態の要部断面図
【図３】同カートリッジタンクの給油キャップの上面図
【図４】本発明の実施例２のカートリッジタンクの給油キャップを載置した状態の要部断面図
【図５】同カートリッジタンクの給油キャップの上面図
【図６】従来のカートリッジタンクの要部断面図
【図７】同カートリッジタンクの油受け上に設置した状態の要部断面図
【図８】同カートリッジタンクの給油時の状態を示す要部の側面図
【符号の説明】
【００４９】
２１  タンク本体
２２  給油口
２２ａ  給油口のネジ部
２３  給油キャップ
２３ａ  給油キャップのネジ部
２４  握り部
【図１】
2005076941.tif 000003
【図２】
2005076941.tif 000004
【図３】
2005076941.tif 000005
【図４】
2005076941.tif 000006
【図５】
2005076941.tif 000007
【図６】
2005076941.tif 000008
【図７】
2005076941.tif 000009
【図８】
2005076941.tif 000010